(57)【要約】【課題】再生制御装置のユーザの利便性を向上する。【解決手段】再生制御装置（１００）は、仮想的な２次元空間又は３次元空間に、選択可能な複数の楽曲とポインタとを表示する表示手段（１２）と、表示されたポインタに対するユーザの操作を検出する検出手段（１１、２１、２２）と、検出された操作に応じて、仮想的な２次元空間又は３次元空間内で、表示されたポインタを移動させ、仮想的な２次元空間又は３次元空間における移動されたポインタの位置に応じて、表示された複数の楽曲から再生すべき一又は複数の楽曲を選択すると共に、選択された一又は複数の楽曲各々の再生に係る一又は複数のパラメータを変更する制御手段（１６）と、を備える。【選択図】図１
2019204108.tif 000002
【特許請求の範囲】
【請求項１】
仮想的な２次元空間又は３次元空間に、選択可能な複数の楽曲とポインタとを表示する表示手段と、
前記表示されたポインタに対するユーザの操作を検出する検出手段と、
前記検出された操作に応じて、前記仮想的な２次元空間又は３次元空間内で、前記表示されたポインタを移動させ、前記仮想的な２次元空間又は３次元空間における前記移動されたポインタの位置に応じて、前記表示された複数の楽曲から再生すべき一又は複数の楽曲を選択すると共に、前記選択された一又は複数の楽曲各々の再生に係る一又は複数のパラメータを変更する制御手段と、
を備えることを特徴とする再生制御装置。
【発明の詳細な説明】
【技術分野】
【０００１】
本発明は、再生制御装置及び方法、並びにコンピュータプログラムに関し、特に、例えば楽曲等の再生に係る一又は複数のパラメータを制御可能な再生制御装置及び方法、並びにコンピュータプログラムの技術分野に関する。
【背景技術】
【０００２】
この種の装置として、例えば、３Ｄ投影装置により３次元空間に表示されたオブジェクトに割り当てられた楽音がスピーカから発生する装置が提案されている。ここでは特に、ユーザの位置と表示されたオブジェクトの位置とに応じて、該オブジェクトに対応する楽音の音量が制御される技術が開示されている（特許文献１参照）。
【先行技術文献】
【特許文献】
【０００３】
【特許文献１】特開２００６−２６７２２６号公報
【発明の概要】
【発明が解決しようとする課題】
【０００４】
上述の背景技術では、オブジェクト毎に楽音が割り当てられている（つまり、オブジェクトと楽音とが一対一対応である）ため、選択可能な音又は楽曲の数にあわせて、表示されるオブジェクトの個数を増やす必要がある。すると、ユーザが、所望する音又は楽曲に対応するオブジェクトを選択するまでに時間がかかり、ユーザの利便性が低下する可能性があるという技術的問題点がある。
【０００５】
本発明は、例えば上記問題点に鑑みてなされたものであり、ユーザの利便性を向上することができる再生制御装置及び方法、並びにコンピュータプログラムを提供することを課題とする。
【課題を解決するための手段】
【０００６】
本発明の再生制御装置は、上記課題を解決するために、仮想的な２次元空間又は３次元空間に、選択可能な複数の楽曲とポインタとを表示する表示手段と、前記表示されたポインタに対するユーザの操作を検出する検出手段と、前記検出された操作に応じて、前記仮想的な２次元空間又は３次元空間内で、前記表示されたポインタを移動させ、前記仮想的な２次元空間又は３次元空間における前記移動されたポインタの位置に応じて、前記表示された複数の楽曲から再生すべき一又は複数の楽曲を選択すると共に、前記選択された一又は複数の楽曲各々の再生に係る一又は複数のパラメータを変更する制御手段と、を備える。
【０００７】
本発明の再生制御方法は、上記課題を解決するために、仮想的な２次元空間又は３次元空間に、選択可能な複数の楽曲とポインタとを表示する表示工程と、前記表示されたポインタに対するユーザの操作を検出する検出工程と、前記検出された操作に応じて、前記仮想的な２次元空間又は３次元空間内で、前記表示されたポインタを移動させ、前記仮想的な２次元空間又は３次元空間における前記移動されたポインタの位置に応じて、前記表示された複数の楽曲から再生すべき一又は複数の楽曲を選択すると共に、前記選択された一又は複数の楽曲各々の再生に係る一又は複数のパラメータを変更する制御工程と、を備える。
【０００８】
本発明のコンピュータプログラムは、上記課題を解決するために、再生制御装置に搭載されたコンピュータを、仮想的な２次元空間又は３次元空間に、選択可能な複数の楽曲とポインタとを表示する表示手段と、前記表示されたポインタに対するユーザの操作を検出する検出手段と、前記検出された操作に応じて、前記仮想的な２次元空間又は３次元空間内で、前記表示されたポインタを移動させ、前記仮想的な２次元空間又は３次元空間における前記移動されたポインタの位置に応じて、前記表示された複数の楽曲から再生すべき一又は複数の楽曲を選択すると共に、前記選択された一又は複数の楽曲各々の再生に係る一又は複数のパラメータを変更する制御手段と、として機能させる。
【０００９】
本発明の作用及び他の利得は次に説明する実施するための形態から明らかにされる。
【図面の簡単な説明】
【００１０】
【図１】第１実施例に係る再生制御装置の構成を示すブロック図である。
【図２】第１実施例に係る位置検出の一例を示す概念図である。
【図３】表示画面の一例を示す図である。
【図４】第１実施例に係る楽曲・パラメータ選択変更処理を示すフローチャートである。
【図５】表示画面の他の一例を示す図である。
【図６】第２実施例に係る位置検出の一例を示す概念図である。
【図７】表示画面の他の一例を示す図である。
【発明を実施するための形態】
【００１１】
本発明の再生制御装置等に係る実施形態について説明する。
【００１２】
（再生制御装置）
実施形態に係る再生制御装置は、仮想的な２次元空間又は３次元空間に、選択可能な複数の楽曲とポインタとを表示する表示手段と、該表示されたポインタに対するユーザの操作を検出する検出手段と、該検出された操作に応じて、仮想的な２次元空間又は３次元空間内で、表示されたポインタを移動させ、仮想的な２次元空間又は３次元空間における移動されたポインタの位置に応じて、表示された複数の楽曲から再生すべき一又は複数の楽曲を選択すると共に、選択された一又は複数の楽曲各々の再生に係る一又は複数のパラメータを変更する制御手段と、を備える。
【００１３】
本実施形態の再生制御装置によれば、当該再生制御装置は、表示手段、検出手段、及び制御手段を備えて構成されている。
【００１４】
表示手段は、仮想的な２次元空間又は３次元空間に、選択可能な複数の楽曲と、ポインタとを表示する。尚、表示手段は、例えばディスプレイ等の表示部を有してなくてよく、該表示部に表示される画像を示す画像信号を少なくとも出力可能に構成されていればよい。仮想的な２次元空間に複数の楽曲とポインタとが表示される場合、平面的な画像（つまり、奥行き感のない画像）がユーザに提示される。他方、仮想的な３次元空間に複数の楽曲とポインタとが表示される場合、奥行き感のある画像がユーザに提示される。
【００１５】
検出手段は、ポインタに対するユーザの操作を検出する。検出手段には、例えばマウス、タッチパネル等のユーザが何らかの部材を操作することにより生じる物理量又はパラメータの変化を検出するものに限らず、例えば画像処理による点追跡、超音波や磁気による空間位置検出等も適用可能である。いずれにせよ、ユーザの操作を検出可能であれば、公知の各種態様を、本実施形態に係る検出手段として適用可能である。
【００１６】
例えばメモリ、プロセッサ等を備えてなる制御手段は、検出手段により検出された操作に応じて、仮想的な２次元空間又は３次元空間内で、表示されたポインタを移動させる。この結果、ユーザに提示される表示画面上においてポインタの位置が変化する。
【００１７】
制御手段は、更に、仮想的な２次元空間又は３次元空間における移動されたポインタの位置に応じて、表示された複数の楽曲から再生すべき一又は複数の楽曲を選択すると共に、選択された一又は複数の楽曲各々の再生に係る一又は複数のパラメータを変更する。
【００１８】
具体的には、例えば、制御手段は、仮想的な２次元空間又は３次元空間におけるポインタの座標を取得し、該取得された座標の第１成分に対応する一又は複数の楽曲を、再生すべき楽曲として選択すると共に、該選択された一又は複数の楽曲各々の再生に係る一又は複数のパラメータのうち、取得された座標の第２成分及び第３成分の少なくとも一方に対応するパラメータを変更する。
【００１９】
従来、楽曲を選択するための操作と、選択された楽曲の再生に係る一又は複数のパラメータを変更するための操作とは、互いに分離されていた。つまり、楽曲を選択し、該楽曲の、例えば再生時の音量を変更するためには、少なくとも２回の操作が必要であった。
【００２０】
しかるに本実施形態では、制御手段により、１度のポインタの操作に応じて、楽曲の選択と、該選択された楽曲の再生に係る一又は複数のパラメータの変更とが実行される。このため、ユーザの操作を減らすことができ、もって、ユーザの利便性を向上させることができる。特に、ライブパフォーマンス等、再生される楽曲を素早く変更したり、同時に再生すべき（つまり、ミックスすべき）楽曲を素早く選択したりしつつ、例えば音量の変更、再生エフェクトの選択や変更等、が要求される場面において、ユーザの操作を低減することができるので、実用上非常に有利である。
【００２１】
本実施形態に係る再生制御装置の一態様では、制御手段は、移動されたポインタの位置を示す仮想的な２次元空間又は３次元空間における座標の値に基づいて、表示された複数の楽曲から再生すべき一又は複数の楽曲を選択すると共に、選択された一又は複数の楽曲各々の再生に係る一又は複数のパラメータを変更する。
【００２２】
この態様によれば、比較的容易にして、再生すべき楽曲の特定と、変更すべきパラメータ及びその変更量の特定と、を行うことができ、実用上非常に有利である。尚、座標は、直交座標に限らず、例えば回転座標や極座標等であってもよい。
【００２３】
この態様では、制御手段は、移動されたポインタの位置を示す仮想的な３次元空間における座標の第１成分に基づいて、表示された複数の楽曲から再生すべき一又は複数の楽曲を選択し、座標の第２成分に基づいて、選択された一又は複数の楽曲各々の再生に係る第１のパラメータを変更し、座標の第３成分に基づいて、選択された一又は複数の楽曲各々の再生に係る、第１のパラメータとは異なる第２のパラメータを変更してよい。
【００２４】
このように構成すれば、楽曲の選択と同時に、該選択された楽曲の再生に係る２種類のパラメータを変更することができる。
【００２５】
この態様では、検出手段は、ユーザの操作の一部としてユーザの手の形状を検出し、制御手段は、更に、検出された手の形状に応じて、選択された一又は複数の楽曲各々の再生に係る、第１のパラメータ及び第２のパラメータとは異なる第３のパラメータを変更してよい。
【００２６】
このように構成すれば、楽曲の選択と同時に、該選択された楽曲の再生に係る３種類のパラメータを変更することができる。
【００２７】
或いは、この態様では、制御手段は、移動されたポインタの位置を示す仮想的な２次元空間における座標の第１成分に基づいて、表示された複数の楽曲から再生すべき一又は複数の楽曲を選択し、座標の第２成分に基づいて、選択された一又は複数の楽曲各々の再生に係る第１のパラメータを変更してよい。
【００２８】
このように構成すれば、楽曲の選択と同時に、該選択された楽曲の再生に係る１種類のパラメータを変更することができる。
【００２９】
この態様では、制御手段は、更に、第１成分及び第２成分に基づいて、選択された一又は複数の楽曲各々の再生に係る、第１のパラメータとは異なる第２のパラメータを変更してよい。
【００３０】
このように構成すれば、楽曲の選択と同時に、該選択された楽曲の再生に係る２種類のパラメータを変更することができる。
【００３１】
或いは、この態様では、検出手段は、ユーザの操作の一部としてユーザの手の形状を検出し、制御手段は、更に、検出された手の形状に応じて、選択された一又は複数の楽曲各々の再生に係る、第１のパラメータとは異なる第２のパラメータを変更してよい。
【００３２】
このように構成すれば、楽曲の選択と同時に、該選択された楽曲の再生に係る２種類のパラメータを変更することができる。
【００３３】
本実施形態に係る再生制御装置の他の態様では、再生に係る複数のパラメータは、音量、テンポ、エフェクト及び再生位置を含む。
【００３４】
この態様によれば、比較的よく変更されるパラメータを、楽曲の選択と同時に変更することができ、実用上非常に有利である。
【００３５】
（再生制御方法）
実施形態に係る再生制御装置は、仮想的な２次元空間又は３次元空間に、選択可能な複数の楽曲とポインタとを表示する表示工程と、該表示されたポインタに対するユーザの操作を検出する検出工程と、該検出された操作に応じて、仮想的な２次元空間又は３次元空間内で、表示されたポインタを移動させ、仮想的な２次元空間又は３次元空間における移動されたポインタの位置に応じて、表示された複数の楽曲から再生すべき一又は複数の楽曲を選択すると共に、該選択された一又は複数の楽曲各々の再生に係る一又は複数のパラメータを変更する制御工程と、を備える。
【００３６】
本実施形態に係る再生制御方法によれば、上述した実施形態に係る再生制御装置と同様に、ユーザの操作を減らすことができ、もって、ユーザの利便性を向上させることができる。尚、本実施形態に係る再生制御方法においても、上述した実施形態に係る再生制御装置の各種態様と同様の各種態様を採ることができる。
【００３７】
（コンピュータプログラム）
実施形態に係るコンピュータプログラムは、再生制御装置に搭載されたコンピュータを、仮想的な２次元空間又は３次元空間に、選択可能な複数の楽曲とポインタとを表示する表示手段と、該表示されたポインタに対するユーザの操作を検出する検出手段と、該検出された操作に応じて、仮想的な２次元空間又は３次元空間内で、表示されたポインタを移動させ、仮想的な２次元空間又は３次元空間における移動されたポインタの位置に応じて、表示された複数の楽曲から再生すべき一又は複数の楽曲を選択すると共に、該選択された一又は複数の楽曲各々の再生に係る一又は複数のパラメータを変更する制御手段と、として機能させる。
【００３８】
本実施形態のコンピュータプログラムによれば、当該コンピュータプログラムを格納するＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から、当該コンピュータプログラムを、再生制御装置に備えられたコンピュータに読み込んで実行させれば、或いは、当該コンピュータプログラムを、通信手段を介してダウンロードさせた後に実行させれば、上述した実施形態に係る再生制御装置を比較的容易にして実現できる。これにより、上述した実施形態に係る再生制御装置と同様に、ユーザの操作を減らすことができ、もって、ユーザの利便性を向上させることができる。
【実施例】
【００３９】
本発明の再生制御装置に係る実施例を図面に基づいて説明する。
【００４０】
＜第１実施例＞
本発明の再生制御装置に係る第１実施例について、図１乃至図４を参照して説明する。
【００４１】
本実施例の再生制御装置１００の構成について、図１を参照して説明する。
【００４２】
図１において、再生制御装置１００は、検出部１１、表示部１２、再生部１３、楽曲記憶部１４、パラメータ記憶部１５及び制御部１６を備えて構成されている。検出部１１、表示部１２、再生部１３、楽曲記憶部１４、パラメータ記憶部１５及び制御部１６は、互いにバスを介して接続されている。
【００４３】
検出部１１には、センサ２１及びカメラ２２が接続されている。検出部１１は、センサ２１及びカメラ２２各々からの出力信号に基づいて、ユーザ操作を検出する。検出部１１は、具体的には例えば、超音波や磁気による公知の空間位置検出方法により、所定空間におけるユーザの手の位置を検出すると共に、カメラ２２により撮像された画像に基づいてユーザの手の形状（例えば、伸ばしている指の本数、指の開き方、等）を検出する。
【００４４】
制御部１６は、検出部１１により検出されたユーザの手の位置を、例えば図２に示すような仮想的な３次元空間上の座標に変換する。図２では、ユーザの手（又は指）の位置が「ポインタ」として示されている。本実施例では、制御部１６から、仮想的な３次元空間におけるポインタの左右位置に対応する値、該３次元空間におけるポインタの上下位置に対応する値、及び該３次元空間におけるポインタの奥行き位置に対応する値の３つの座標値が出力される。制御部１６は、更に、検出部１１により検出されたユーザの手の形状に対応する値を出力する。
【００４５】
尚、ポインタの位置は、「点」に限らず、例えば図２におけるポインタを示す円に対応する「範囲」で表されてよい。
【００４６】
表示部１２は、検出部１１により検出されたユーザ操作に応じて移動するポインタを含む画像を示す画像信号を出力する。ここで、画像におけるポインタの位置は、制御部１６から出力される３つの座標値に基づいて決定される。
【００４７】
表示部１２から出力された画像信号により、例えば図３に示すような画面がユーザに提示される。図３に示す画面では、画面の左右方向に、選択可能な複数の楽曲が配列されている。
【００４８】
本実施例では、制御部１６は、仮想的な３次元空間（図２参照）におけるポインタの左右位置に対応する値に応じて、再生される楽曲を決定する。ここで、ポインタの位置が「範囲」で表される場合、１つのポインタにより複数の楽曲が選択されてもよい。尚、画面上に表示される楽曲に係る情報は、楽曲記憶部１４（図１参照）に予め格納されている。
【００４９】
また、制御部１６は、仮想的な３次元空間におけるポインタの上下位置に対応する値、及び奥行き位置に対応する値、並びに手の形状に対応する値各々により、例えば音量、エフェクトの種類、エフェクトの強弱、再生位置等の再生に係るパラメータのうち、予め設定された３つのパラメータを決定する。該決定された３つのパラメータは、楽曲と関連付けられ、パラメータ記憶部１５（図１参照）に格納される。
【００５０】
尚、ポインタに係る３つの座標値及びユーザの手の形状に対応する値が、再生される楽曲及び再生に係るパラメータのいずれに対応するかは、予め定められてなくてよく、例えばユーザにより変更可能に構成されていてよい。
【００５１】
再生部１３は、制御部１６により決定された楽曲を、決定された３つのパラメータに応じて再生する。
【００５２】
次に、以上のように構成された再生制御装置１００が実行する楽曲・パラメータ選択変更処理について、図４のフローチャートを参照して説明する。
【００５３】
図４において、再生制御装置１００の検出部１１は、ユーザ操作を検出する（ステップＳ１０１）。続いて、制御部１６は、検出されたユーザ操作に基づいて、ユーザの手（又は指）の位置を仮想的な３次元空間上の座標に変換することにより、ユーザの手（又は指）に対応するポインタの位置を特定する。制御部１６は、更に、検出部１１により検出されたユーザの手の形状に対応する値を決定する（ステップＳ１０２）。
【００５４】
次に、制御部１６は、ポインタの位置を示す座標の各成分（図２では、“左右位置に対応する値”、“上下位置に対応する値”及び“奥行き位置に対応する値”）と、手の形状に対応する値とに基づいて、再生する楽曲を決定すると共に、再生に係るパラメータとを特定する（ステップＳ１０３）。
【００５５】
続いて、制御部１６は、決定された楽曲について、特定された再生に係るパラメータを、ポインタの位置を示す座標のうち２つの成分と、手の形状に対応する値とに応じて変更する（ステップＳ１０４）。続いて、再生部１３は、制御部１６により決定された楽曲を、変更された３つのパラメータに応じて再生する（ステップＳ１０５）。
【００５６】
上記ステップＳ１０３乃至Ｓ１０５の処理と並行して、表示部１２は、制御部１６により特定されたポインタの位置に基づいて、表示されるポインタの位置を変更して表示画像を更新する（ステップＳ１０６）。
【００５７】
本実施例に係る再生制御装置１００によれば、１度のポインタの操作（即ち、ユーザ操作）に応じて、楽曲の選択と、該選択された楽曲の再生に係る複数のパラメータの変更とが実施される。このため、ユーザの操作を減らすことができ、もって、ユーザの利便性を向上させることができる。
【００５８】
本実施例に係る「検出部１１」、「センサ２１」及び「カメラ２２」は、本発明に係る「検出手段」の一例である。本実施例に係る「表示部１２」及び「制御部１６」は、夫々、本発明に係る「表示手段」及び「制御手段」の一例である。
【００５９】
尚、ポインタは１つに限らず、２以上であってよい。この場合、例えば伸びている指の本数等によりポインタの数が変更されてよい。
【００６０】
＜変形例＞
次に、第１実施例に係る変形例について、図５を参照して説明する。
【００６１】
上述の第１実施例では、表示部１２から出力される画像信号により、図３に示すような、奥行き感のある画像がユーザに提示される。本変形例では、例えば図５に示すような、平面的な画像がユーザに提示される。
【００６２】
本変形例では、制御部１６は、仮想的な３次元空間（図２参照）におけるポインタの左右位置に対応する値に応じて、再生される楽曲を決定する。制御部１６は、仮想的な３次元空間におけるポインタの奥行き位置に対応する値に応じて、変更すべきパラメータ（ここでは、“パラメータ１”、“パラメータ２”、“パラメータ３”）を決定する。そして、制御部１６は、仮想的な３次元空間におけるポインタの上下位置に対応する値に応じて、変更すべきパラメータの値（例えば音量等）を変更する。
【００６３】
制御部１６は、更に、ユーザの手の形状に対応する値に応じて、例えばエフェクトの種類等を変更する。
【００６４】
本変形例では、各パラメータに、仮想的な３次元空間の奥行き方向の数値（範囲）が予め割り当てられており、このような数値（範囲）に、ポインタの奥行き位置に対応する値が該当することにより、一のパラメータが選択される。この「仮想的な３次元空間の奥行き方向の数値（範囲）」が、本発明に係る「第２のパラメータ」の一例である。
【００６５】
また、各エフェクトに、例えば固有の数値が予め割り当てられており、このような数値のうち一の数値が、ユーザの手の形状に対応する値に応じて選択されることで、該選択された一の数値に対応するエフェクトが選択される。この「固有の数値」が、本発明に係る「第３のパラメータ」の一例である。
【００６６】
＜第２実施例＞
本発明の再生制御装置に係る第２実施例について、図６及び図７を参照して説明する。第２実施例では、ポインタの位置の特定方法が異なる以外は、上述した第１実施例と同様である。よって、第２実施例について、第１実施例と重複する説明を省略すると共に、図面上における共通箇所には同一符号を付して示し、基本的に異なる点についてのみ、図６及び図７を参照して説明する。
【００６７】
本実施例では、センサ２１として、例えばタッチパネル、マウス等のポインティングデバイス、等が想定されている。
【００６８】
制御部１６は、検出部１１により検出されたユーザの手の位置を、例えば図６に示すような仮想的な２次元空間上の座標に変換する。本実施例では、制御部１６から、仮想的な２次元空間におけるポインタのｘ軸の値、該２次元空間におけるポインタのｙ軸の値、並びに、ポインタのｘ軸の値及びｙ軸の値により決定される値Ｃが出力される。
【００６９】
表示部１２は、検出部１１により検出されたユーザ操作に応じて移動するポインタを含む画像を示す画像信号を出力する。該画像信号により、例えば図７に示すような画面がユーザに提示される。ここで、画像におけるポインタの位置は、制御部１６から出力される２つの座標値（即ち、ｘ軸の値及びｙ軸の値）に基づいて決定される。
【００７０】
本実施例では、制御部１６は、仮想的な２次元空間（図６参照）におけるポインタのｘ軸の値に応じて、再生される楽曲を決定する。
【００７１】
また、制御部１６は、値Ｃ（図６参照）に応じて、例えば変更すべきパラメータ、エフェクトの種類等を決定する。制御部１６は、仮想的な２次元空間におけるポインタのｙ軸の値に応じて、変更すべきパラメータの値を変更したり、エフェクトの程度（強弱）を変更したりする。
【００７２】
本実施例では、各パラメータや各エフェクトに、例えば固有の数値が予め割り当てられており、このような数値のうち一の数値が選択されることで、該選択された一の数値に対応するパラメータ又はエフェクトが選択される。この「固有の数値」が、本発明に係る「第２のパラメータ」の一例である。
【００７３】
＜変形例＞
次に、第２実施例に係る変形例について説明する。
【００７４】
上述の第２実施例では、仮想的な２次元空間におけるポインタのｘ軸の値及びｙ軸の値により決定される値Ｃを用いて、例えば変更すべきパラメータ、エフェクトの種類等が決定される。本変形例では、値Ｃに代えて、検出部１１により検出されたユーザの手の形状が用いられる。
【００７５】
具体的には、制御部１６は、検出部１１により検出されたユーザの手の形状に対応する値を決定する。そして、制御部１６は、該決定された値に応じて、例えば変更すべきパラメータ、エフェクトの種類等を特定する。
【００７６】
制御部１６は、仮想的な２次元空間（図６参照）におけるポインタのｘ軸の値に応じて、再生される楽曲を決定する。制御部１６は、該決定された楽曲について、特定された変更すべきパラメータ、エフェクトの種類等の値を、仮想的な２次元空間におけるポインタのｙ軸の値に応じて変更する。
【００７７】
本発明は、上述した実施形態に限られるものではなく、特許請求の範囲及び明細書全体から読み取れる発明の要旨或いは思想に反しない範囲で適宜変更可能であり、そのような変更を伴う再生制御装置及び方法、並びにコンピュータプログラムもまた本発明の技術的範囲に含まれるものである。
【符号の説明】
【００７８】
１１…検出部、１２…表示部、１３…再生部、１４…楽曲記憶部、１５…パラメータ記憶部、１６…制御部、２１…センサ、２２…カメラ、１００…再生制御装置
【図１】
2019204108.tif 000003
【図２】
2019204108.tif 000004
【図３】
2019204108.tif 000005
【図４】
2019204108.tif 000006
【図５】
2019204108.tif 000007
【図６】
2019204108.tif 000008
【図７】
2019204108.tif 000009